(57)【特許請求の範囲】
【請求項１】
記録媒体を挿抜可能な複数のスロットユニットを隣接させて並設してなる記録媒体収容装置であって、
前記記録媒体は、押圧されることで前記スロットユニットに挿抜可能とされており、
前記複数のスロットユニットを覆う筐体と、
前記筐体において、前記複数のスロットユニットそれぞれに対応して設けられ前記スロットユニットに挿抜される記録媒体が通る開口部と、
前記筐体の一部の閉領域として周囲よりも凹んで形成された凹部と、
を備え、
前記凹部は、
前記開口部の一端側を含み、前記スロットユニットに収容された前記記録媒体の前記一端側の側端から離隔した位置に縁部があるよう形成されており、
隣接する前記スロットユニットそれぞれの前記凹部は、前記並設方向に重ならない位置に配置されていることを特徴とする記録媒体収容装置。
【請求項２】
前記並設された複数のスロットユニットそれぞれに前記記録媒体を収容したときに、収容された各前記記録媒体の長手方向の位置が一致していることを特徴とする請求項１記載の記録媒体収容装置。
【請求項３】
記録媒体を挿抜可能に収容するプッシュイン・プッシュアウト構造なるスロットユニットの複数個と、
前記スロットユニットが取り付けられた基板と、
前記スロットユニットを覆うと共に前記スロットユニットの複数個それぞれに対応して設けられた開口部を有する筐体と、
を備え、前記スロットユニットに収容された前記記録媒体との間で前記基板を介し信号の授受を行う電子機器であって、
前記開口部は、前記筐体において、前記記録媒体が前記スロットユニットに対して使用可能に収容された状態で前記記録媒体の側面を第１の面積で露出させるよう一部の閉領域として周囲よりも凹んで形成された凹部と、前記側面を非露出とする又は前記第１の面積よりも少ない面積で露出させる非凹部と、に跨るよう形成される一方、
前記スロットユニットの複数個の内の少なくとも二つは、長手が一列となるよう隣接併設されており、
前記凹部は、
前記隣接併設された二つのスロットユニットに対応する二つの前記開口部の内の少なくとも一方において他方に近い端部を含まないように形成され、かつ、前記一方の開口部の一端側を含むと共に前記スロットユニットに収容された前記記録媒体の前記一端側の側端から離隔した位置に縁部があるよう形成されていることを特徴とする電子機器。
【請求項４】
請求項１又は請求項２記載の記録媒体収容装置と、
撮像部と、を備え、
前記撮像部で得られた画像情報を、前記スロットユニットの複数個のいずれかに収容した前記記録媒体に記録することを特徴とする電子機器。
【発明の詳細な説明】
【技術分野】
【０００１】
本発明は、記録媒体収容装置及びそれを備えた電子機器に係り、特に、メモリーカード等の記録媒体を複数枚着脱自在に収容する記録媒体収容装置と、それを備えた撮像装置等の電子機器に関する。
【背景技術】
【０００２】
従来、カード等の複数の記録媒体を着脱自在に収容する記録媒体収容装置が知られており、例えば、特許文献１に記載されたものがある。
特許文献１には、メモリーカードを収容する複数のカードスロットと、カードスロットに収容したカードを排出する際に押されるエジェクトボタンと、を有し、隣接するカードスロットが互いに対向するように並設されたメモリーカード収容部と、それを備えた再生装置と、について記載されている。
【先行技術文献】
【特許文献】
【０００３】
【特許文献１】特開２００１−１８４４６３号公報
【発明の概要】
【発明が解決しようとする課題】
【０００４】
ところで、複数のカードスロットを有する記録媒体収容装置は、それを備えた電子機器（例えば撮像装置，通信装置，再生装置など）の小型化に伴い、隣接するカードスロット同士がより接近して配置されるようになっている。
具体的には、隣接する二つカードスロットに収容された二枚のカードの開口側の端面を、一本の指が跨いで触れ得る程に接近している。
また、カード自体も高密度化の一途にあるので、並設するカードスロットの対向間隔は将来更に狭くなることが予測される。
一方、カードスロットは、従来主流であった、エジェクトボタンが押されることで収容したカードを排出する構造に対し、近年は、プッシュイン・プッシュアウト方式と称される、エジェクトボタンの無い構造が主流になってきている。
【０００５】
プッシュイン・プッシュアウト方式は、カードの挿入時において、カードの先端側をカードスロットに挿入して後端側を指で押し込み、押し込める最奥位置で指を離すと、カードが若干手前側に戻った位置でロックされて使用状態となり、その使用状態からカードの後端部を指で再度最奥位置まで押し込むことで、ロックが解除されると共にバネ等の反発力により使用状態よりも手前の位置まで排出され、指で摘んで取り出せる、という方式である。
従って、特許文献１に記載された配置の複数のカードスロット同士が上述のように並設対向間隔が狭くされている状況で、各カードスロットにプッシュイン・プッシュアウト方式のスロットが適用され得る。
【０００６】
この場合、例えば並設された二つのカードスロットＡ，ＢにカードＡ，Ｂがそれぞれ収容された使用状態から、カードスロットＡに収容された排出すべきカードＡを排出のために押し込むと、並設されたカードスロットＢに収容された排出対象ではないカードＢにも指が触れて共に押し込まれ、カードＢもカードＡと共に排出されてしまうという不具合が生じ得る。
また、カードスロットＡにカードＡが収容された状態で、並設されたカードスロットＢにカードＢを挿入して収容しようとする場合、挿入すべきカードＢを挿入のためにカードスロットＢの最奥位置まで押し込む際に、カードスロットＡに収容されているカードＡにも指が触れて共に押し込んでしまい、本来収容させておくべきカードＡが排出されてしまうという不具合が生じ得る。
【０００７】
そこで、本発明が解決しようとする課題は、プッシュイン・プッシュアウト方式のカードスロットを複数近接して並設しても、カードスロットにおいて確実に一枚のカードを収容又は排出させることができる記録媒体収容装置及びそれを備えた電子機器を提供することにある。
【課題を解決するための手段】
【０００８】
上記の課題を解決するために、本発明は次の構成を有する。
１）  記録媒体を挿抜可能な複数のスロットユニットを隣接させて並設してなる記録媒体収容装置であって、
前記記録媒体は、押圧されることで前記スロットユニットに挿抜可能とされており、
前記複数のスロットユニットを覆う筐体と、
前記筐体において、前記複数のスロットユニットそれぞれに対応して設けられ前記スロットユニットに挿抜される記録媒体が通る開口部と、
前記筐体の一部の閉領域として周囲よりも凹んで形成された凹部と、
を備え、
前記凹部は、
前記開口部の一端側を含み、前記スロットユニットに収容された前記記録媒体の前記一端側の側端から離隔した位置に縁部があるよう形成されており、
隣接する前記スロットユニットそれぞれの前記凹部は、前記並設方向に重ならない位置に配置されていることを特徴とする記録媒体収容装置である。
２）  前記並設された複数のスロットユニットそれぞれに前記記録媒体を収容したときに、収容された各前記記録媒体の長手方向の位置が一致していることを特徴とする１）に記載の記録媒体収容装置である。
３）  記録媒体を挿抜可能に収容するプッシュイン・プッシュアウト構造なるスロットユニットの複数個と、
前記スロットユニットが取り付けられた基板と、
前記スロットユニットを覆うと共に前記スロットユニットの複数個それぞれに対応して設けられた開口部を有する筐体と、
を備え、前記スロットユニットに収容された前記記録媒体との間で前記基板を介し信号の授受を行う電子機器であって、
前記開口部は、前記筐体において、前記記録媒体が前記スロットユニットに対して使用可能に収容された状態で前記記録媒体の側面を第１の面積で露出させるよう一部の閉領域として周囲よりも凹んで形成された凹部と、前記側面を非露出とする又は前記第１の面積よりも少ない面積で露出させる非凹部と、に跨るよう形成される一方、
前記スロットユニットの複数個の内の少なくとも二つは、長手が一列となるよう隣接併設されており、
前記凹部は、
前記隣接併設された二つのスロットユニットに対応する二つの前記開口部の内の少なくとも一方において他方に近い端部を含まないように形成され、かつ、前記一方の開口部の一端側を含むと共に前記スロットユニットに収容された前記記録媒体の前記一端側の側端から離隔した位置に縁部があるよう形成されていることを特徴とする電子機器である。
４）１）又は２）に記載の記録媒体収容装置と、
撮像部と、を備え、
前記撮像部で得られた画像情報を、前記スロットユニットの複数個のいずれかに収容した前記記録媒体に記録することを特徴とする電子機器である。
【発明の効果】
【０００９】
本発明によれば、プッシュイン・プッシュアウト方式のカードスロットを複数近接して並設しても、確実に一枚のカードを収容又は排出させることができる、という効果が得られる。
【図面の簡単な説明】
【００１０】
【図１】本発明の記録媒体収容装置を備えた電子機器の実施例を説明するための外観斜視図である。
【図２】本発明の記録媒体収容装置の実施例を説明するための部分斜視図である。
【図３】本発明の記録媒体収容装置の実施例におけるスロットユニットを含む要部を説明するための斜視図である。
【図４】本発明の記録媒体収容装置の実施例におけるカードスロットを説明するための平面図である。
【図５】本発明の記録媒体収容装置の実施例における凹部を説明するための部分断面図である。
【図６】本発明の記録媒体収容装置の実施例における変形例を説明するための平面図である。
【発明を実施するための形態】
【００１１】
本発明の実施の形態を、好ましい実施例により図１〜図６を用いて説明する。
【００１２】
図１は、本発明の記録媒体収容装置を備えた電子機器の実施例である撮像装置５１を示す外観斜視図である。以下の説明で用いる上下左右前後の各方向は、特に注記がない限り図１に矢印で示された方向で規定する。
【００１３】
撮像装置５１は、レンズ部１及び筐体２ｋを備えた本体部２と、本体部２に対して開閉自在に設けられた液晶表示部３と、本体部２における下方側の側面部位に配設された記録媒体収容装置であるカード収容装置ＫＳ及びカード収容装置ＫＳを覆うように開閉可能な蓋４と、前面に設けられたステレオ収録用としての一対のマイク５と、レンズ部１を通した被写体像を画像の信号として出力する撮像素子６と、を備えている。
図１において、液晶表示部３は閉状態で、蓋４は開状態で示されている
図１に示されるように、カード収容装置ＫＳには、蓋４の開状態で視認され得る複数のカードスロットを備えており、図１に示された例では、四つのカードスロットＳ１〜Ｓ４を備えている。
このカードスロットＳ１〜Ｓ４それぞれに対しカードが挿抜される。すなわち、撮像装置５１は、四枚のカードが同時に収容され得るようになっている。カードは例えばメモリーカードであって、一例としてＳＤメモリーカードであるが、カードの種類は限定されるものではない。
【００１４】
撮像装置５１は、カードスロットＳ１〜Ｓ４のいずれかに収容されたメモリーカードに対し、撮像素子６で得られた画像に基づく情報や収録音声等の情報を記録し、メモリーカードに記録された画像や音声などの情報を液晶表示部３やスピーカ（図示せず）で再生できるようになっている。
また、カード収容装置ＫＳに複数のメモリーカードが収容されている場合、記録においては、収容されている複数のメモリーカードに対し、情報を選択的に又は同時的に記録する。一方、再生においては、収容されている複数のメモリーカードから、記録されている情報を選択的に又は同時的に取得し、再生等を行う。
また、撮像装置５１の本体部２を介して、収容されている複数のメモリーカード間での情報の移動又は複製を行えるようになっている。
【００１５】
図２は、カード収容装置ＫＳにおけるカードスロットＳ１〜Ｓ４を示す拡大斜視図である。図２に示されるように、カードスロットＳ１〜Ｓ４は、それぞれメモリーカードＣＤを挿入する開口部Ｓ１ｋ〜Ｓ４ｋ及びスロットユニットＳＵ１〜ＳＵ４（図３参照）とを有している。メモリーカードＣＤは、開口部Ｓ１ｋ〜Ｓ４ｋを通しそれに対応して配置されたスロットユニットＳＵ１〜ＳＵ４に対して挿抜される。
開口部Ｓ１ｋ〜Ｓ４ｋは、本体部２の筐体２ｋにおいて、他の部位とは意匠的に区分された開口面部ＫＳａに設けられている。この例において、開口面部ＫＳａは、本体部２の筐体２ｋにおける外表面２ａに対して一段凹んだ部分として設けられている。
そして、カードスロットＳ１〜Ｓ４は、開口面部ＫＳａにおいて、行列が２×２のマトリックスとなるスロット配置になっている。
具体的には、開口部Ｓ１ｋと開口部Ｓ３ｋとが長手方向に直線状に連なって配置され、開口部Ｓ２ｋと開口部Ｓ４ｋとが長手方向に直線状に連なって配置されている。
さらに、開口部Ｓ１ｋと開口部Ｓ２ｋとが両者の長手同士が対向するように並列配置され、開口部Ｓ３ｋと開口部Ｓ４ｋとが両者の長手同士が対向するように並列配置されている。
【００１６】
図３は、カード収容装置ＫＳが本体部２の筐体２ｋ内に収容されている部分を説明するための図である。
カード収容装置ＫＳは、カード基板Ｋと、カード基板Ｋの両面にそれぞれ二個ずつ（合計四個）配設されたスロットユニットＳＵ１〜ＳＵ４と、を有している。スロットユニットＳＵ１〜ＳＵ４が図２おけるカードスロットＳ１〜Ｓ４にそれぞれ対応する。
また、カードスロットＳ１〜Ｓ４は、プッシュイン・プッシュアウト方式のコネクタであり、収容したメモリーカードＣＤと電気的に接続し、カード基板Ｋと介して本体部２とメモリーカードＣＤ間との信号授受を可能とするものである。
スロットユニットＳＵ１〜ＳＵ４の開口部側は、本体部２の筐体２ｋが壁となって覆われており、その筐体壁２ｋａに開口面部ＫＳａが設けられている。
【００１７】
カード基板Ｋの上面側に配設されたスロットユニットＳＵ１及びスロットユニットＳＵ３は同じ部品を使用する。この部品は、メモリーカードＣＤを、その正面ＣＤｓが上方を向く姿勢で挿抜される仕様のスロットである。
ここでメモリーカードＣＤの正面ＣＤｓとは、図２に示されるように、挿入方向側の隅部の切り欠きＣＤａを右側とした場合に上方を向く面である。
一方、下面側に配設されたスロットユニットＳＵ２及びスロットユニットＳＵ４は同じ部品を使用するが、スロットユニットＳＵ１，ＳＵ３に用いる部品に対してメモリーカードＣＤの挿抜姿勢が正背逆となる仕様のものとされている。
これにより、カードスロットＳ１〜Ｓ４に挿入するメモリーカードＣＤの姿勢は、スロットユニットＳＵ１〜ＳＵ４がカード基板Ｋの一面側と他面側とに配設されていても、すべて正面ＣＤｓを上方にして挿入することが可能となっている。
また、複数のスロットユニットＳＵ１〜ＳＵ４を備えながらもカード基板Ｋは一枚で済むので、コストダウンとなり、また、カード基板Ｋの占有空間も少なくて済むのでスペース効率が高くなっている。
【００１８】
図４は、カード収容装置ＫＳを図２におけるカード挿抜方向から見た平面図であり、各カードスロットＳ１〜Ｓ４にメモリーカードＣＤ１〜ＣＤ４がそれぞれ収容された状態が示されている。
また、図５は、カードスロットＳ１を図４におけるＡ−Ａ位置で切断した場合の開口側部分の断面図である。図５には、収容されたメモリーカードＣＤについて、使用位置が一点鎖線で、排出のために最奥部まで押された位置が破線で示されている。以下、図２，図４，及び図５を主に参照してカード収容装置ＫＳについて、特に凹部Ｓ４ａ〜Ｓ４ａについて詳述する。
【００１９】
開口面部ＫＳａには、各開口部Ｓ１ｋ〜Ｓ４ｋそれぞれに対応して一段抉られた凹部Ｓ１ａ〜Ｓ４ａが形成されている。この凹部Ｓ１ａ〜Ｓ４ａが設けられていることで、メモリーカードＣＤの尾端面ＣＤｔを、指により、スロットユニットＳＵ１の出入ストロークにおける最奥位置まで押し込むことが容易にできるようになっている。この出入ストロークは、プッシュイン・プッシュアウト構造のスロットユニットＳＵ１において、カードがその出入方向で移動し得るストロークを意味する。
【００２０】
まず、開口部Ｓ１ｋ〜Ｓ４ｋにおける長手方向の幅の所定の範囲が、それぞれ凹部Ｓ１ａ〜Ｓ４ａ内で開口するようになっている。
この所定の範囲は、収容したメモリーカードＣＤの尾端面ＣＤｔの内のどれだけの範囲を凹部Ｓ１ａ〜Ｓ４ａに含ませるかで決められる。
これについてカードスロットＳ１の開口部Ｓ１ｋを代表として説明するならば、所定の範囲ＳＨは、メモリーカードＣＤ１の端面ＣＤ１ｔの幅Ｄｃに対し、例えば後側の半分が凹部Ｓ１ａに含まれるようになっている。
すなわち、凹部Ｓ１ａは、前方端（図４の左方端）となる縁部Ｓ１Ｌが、収容したメモリーカードＣＤ１の中心線ＣＬ１の位置となるように形成されている。
また、凹部Ｓ１ａの後方端（図４の右方端）となる縁部Ｓ１Ｒは、収容したメモリーカードＣＤ１の尾端面ＣＤｔにおける後方側端から距離ΔＤだけ後方に寄った位置にある。
また、凹部Ｓ１ａの下方端となる縁部Ｓ１Ｂは、開口部Ｓ１ｋからの距離が、上方端となる縁部Ｓ１Ｔよりも遠くなる位置に設定されている。
また、縁部Ｓ１Ｂが縁部Ｓ１Ｌ及び縁部Ｓ１Ｒと交わる隅部は、角ＲでＲ付けされている。
【００２１】
一方、図５において一点鎖線で示されるメモリーカードＣＤ１の使用状態では、尾端面ＣＤｔと開口面部ＫＳａとはほぼ同一面上にある。すなわち、メモリーカードＣＤ１の正面ＣＤｓ（又は背面）である側面が露出していない状態となっている。
そして、凹部Ｓ１ａにおける底面Ｓ１ａ１の深さ方向の位置は、メモリーカードＣＤ１が、挿入時のロックのため及び排出時のロック解除のために押し込まれたスロットユニットＳＵ１の出入ストロークの最奥となる尾端面ＣＤｔ位置（破線）よりも、さらに距離Δｈだけ奥まった位置に設定されている。
開口面部ＫＳａから底面Ｓ１ａ１の位置迄の深さを距離ｈ１とし、開口面部ＫＳａから出入ストロークの最奥位置にある尾端面ＣＤｔ迄の深さを距離ｈｃとすると、Δｈ＝ｈ１−ｈｃである。
【００２２】
換言するならば、開口部Ｓ１ｋは、筐体壁２ｋａにおいて、メモリーカードＣＤがスロットユニットＳＵ１に対して使用可能に収容された状態で、メモリーカードＣＤの正面ＣＤｓ又は背面である側面を第１の面積で露出させるよう凹んで形成された凹部Ｓ１ａと、側面を非露出とする又は第１の面積よりも少ない面積で露出させる非凹部と、に跨るよう形成されている。
【００２３】
カードスロットＳ１は、メモリーカードＣＤ１の収容状態で、凹部Ｓ１ａ以外の部位では尾端面ＣＤｔ側が突出していないので、凹部Ｓ１ａにおいてのみ、指によって出入ストロークの最奥位置へ押し込み移動させることができる。
そして、凹部Ｓ１ａにおいて、メモリーカードＣＤ１をロック状態又はロック解除状態にするために指で押し込む際に、縁部Ｓ１Ｒが距離ΔＤをもって設定されていることで、メモリーカードＣＤ１の側端面ＣＤｓｔが露出し、指の腹に尾端面ＣＤｔの角部Ｋ１を食い込ませるように当てることができる。
これにより、より確実に、かつ良好な押し込み感触でメモリーカードＣＤ１を押し込むことができる。
また、距離Δｈが設定されていることで、指の腹に尾端面ＣＤｔを食い込ませつつ押し込むことができる。
これにより、最奥位置まで押し込もうとした際にストロークが不足してロックされない、あるいはロックが解除されないという不具合が極めて生じ難くなっている。
【００２４】
凹部Ｓ１ａの縁部Ｓ１Ｌの位置は、メモリーカードＣＤの幅に応じて挿抜作業に最適な位置を自由に設定することができる。ＳＤメモリーカードの場合は、上述のようにメモリーカードの中心位置に設定すると作業は良好に行える。
この縁部Ｓ１Ｌの位置は、凹部Ｓ１ａに含まれるメモリーカードＣＤの幅が、半分以下となるように設定するのが好ましい。この場合、二つのカードスロットを互いの長手が対向するよう並設した際に、両者の長手方向位置をずらすことなく凹部を長手方向において非干渉に設けることができる。
【００２５】
カードスロットＳ１を代表として説明した上述の構成は、他のカードスロットＳ２〜Ｓ４においても同様である。
詳しくは、カードスロットＳ３については、カードスロットＳ１の構造をその姿勢のまま図４の右方側に併設し、カードスロットＳ２については、姿勢を１８０°回転させて配設し、カードスロットＳ４については、カードスロットＳ２の構造をその姿勢のまま図４の右方側に併設したものである。
【００２６】
すなわち、開口面部ＫＳａ内における凹部Ｓ１ａ〜Ｓ４ａの位置は、長手が対向するように並列配置された開口部Ｓ１ｋ，Ｓ２ｋについては、一端側と他端側との反対となる端部側に設けられている。
具体的には、図４において、凹部Ｓ１ａは、開口部Ｓ１ｋでは後端部側（図４の右方側）に設けられ、凹部Ｓ２ａは、開口部Ｓ２ｋではその逆となる前端部側（図４に左方側）に設けられている。
開口部Ｓ３ｋ,Ｓ４ｋについても同様に、凹部Ｓ３ａは、開口部Ｓ３ｋの後端部側に設けられ、凹部Ｓ４ａは、開口部Ｓ４ｋではその逆となる前端部側に設けられている。
そして、上下方向の位置としては、凹部Ｓ１ａ及び凹部Ｓ２ａは、凹部Ｓ１ａの縁部Ｓ１Ｂが凹部Ｓ２ａの縁部Ｓ２Ｂよりも下方に、凹部Ｓ３ａの縁部Ｓ３Ｂが凹部Ｓ４ａの縁部Ｓ４Ｂよりも下方となるように設けられている。
換言するならば、凹部Ｓ１ａと凹部Ｓ２ａとが、及び凹部Ｓ３ａと凹部Ｓ４ａとが、並設方向である上下方向において非対向なる位置で互い違いに入り込むように配設されており、これにより、カードスロットＳ１とカードスロットＳ２とが、及びカードスロットＳ３とカードスロットＳ４とが、互いに上下方向により接近して配設され得るようになっている。これは、縁部Ｓ１Ｂ〜Ｓ４Ｂの前後隅部に付与されているＲ付けによるものであり、そのＲが大きい程、近接した位置に配設可能となっている。
【００２７】
上述の構成により、カード収容装置ＫＳは、長手が上下方向に近接対向しているカードスロットＳ１とカードスロットＳ２等において、凹部Ｓ１ａと凹部Ｓ２ａとが上下方向に対向した位置にない、非対向の位置に設けられている。
これにより、カードスロットＳ１，Ｓ２にそれぞれメモリーカードＣＤ１，ＣＤ２が収容された状態で、一方のメモリーカードＣＤ１を排出すべく、指にてメモリーカードＣＤ１の尾端面ＣＤｔをスロットユニットＳＵ１の出入ストロークにおける最奥位置迄押し込む際に、他方のメモリーカードＣＤ２の尾端面ＣＤｔに触れ得るもののメモリーカードＣＤ２は凹部Ｓ２ａ以外では開口面部ＫＳａから突出していないので押すことができなくなっている。
従って、確実に望みの一枚のメモリーカードＣＤ１のみを排出させることができる。
【００２８】
また、一方のカードスロットＳ１にメモリーカードＣＤ１が収容された状態で、他方のカードスロットＳ２にメモリーカードＣＤ２を収容すべく、指にてメモリーカードＣＤ２の尾端面ＣＤｔをスロットユニットＳＵ２の出入ストロークにおける最奥位置迄押し込む際に、一方のメモリーカードＣＤ１の尾端面ＣＤｔに触れ得るもののメモリーカードＣＤ１は凹部Ｓ１ａ以外では開口面部ＫＳａから突出していないので押すことができなくなっている。
従って、他のメモリーカードＣＤ１を排出させてしまうことなく確実に望みの一枚のメモリーカードＣＤ２のみを収容させることができる。
【００２９】
また、上述の構成により、カード収容装置ＫＳは、長手方向に直線状に連なって近接配置された、カードスロットＳ１とカードスロットＳ３等において、凹部Ｓ１ａと凹部Ｓ３ａとが長手方向に対向した位置ではなく非対向となる位置に設けられている。
【００３０】
これにより、カードスロットＳ１，Ｓ３にそれぞれメモリーカードＣＤ１，ＣＤ３が収容された状態で、一方のメモリーカードＣＤ１を排出すべく、指にてメモリーカードＣＤ１の尾端面ＣＤｔをスロットユニットＳＵ１の出入ストロークにおける最奥位置迄押し込む際に、他方のメモリーカードＣＤ３の尾端面ＣＤｔに触れ得るもののメモリーカードＣＤ３は凹部Ｓ３ａ以外では開口面部ＫＳａから突出していないので押すことができなくなっている。
従って、確実に望みの一枚のメモリーカードＣＤ１のみを排出させることができる。
【００３１】
また、一方のカードスロットＳ１にメモリーカードＣＤ１が収容された状態で、他方のカードスロットＳ３にメモリーカードＣＤ３を収容すべく、指にてメモリーカードＣＤ３の尾端面ＣＤｔをスロットユニットＳＵ３の出入ストロークにおける最奥位置迄押し込む際に、一方のメモリーカードＣＤ１の尾端面ＣＤｔに触れ得るもののメモリーカードＣＤ１は凹部Ｓ１ａ以外では開口面部ＫＳａから突出していないので押すことができなくなっている。
従って、他のメモリーカードＣＤ１を排出させてしまうことなく確実に望みの一枚のメモリーカードＣＤ３を収容させることができる。
【００３２】
凹部Ｓ１ａ〜Ｓ４ａ以外の部位において、収容されたメモリーカードＣＤ１〜ＣＤ４の使用状態における尾端面ＣＤｔの位置は、それが押された場合に出入ストロークの最奥位置迄押し込まれない程度であれば、寸法上突出していても支障はないが、実機の操作感において、より確実な感触が得られること、及び所望のメモリーカードのみが指に当接しているという安心感が触感から得られること、により、突出していないのが望ましい。
【００３３】
凹部Ｓ１ａ〜Ｓ４ａにおける、メモリーカードＣＤの収容及び排出の作業で指が触り得る出隅部（稜線）は、凹部Ｓ１ａ〜Ｓ４ａ以外の部位よりも大きなＲ付けをして指の当接感触を良好にするとよい。
逆に、開口部Ｓ１ｋ〜Ｓ４ｋにおける凹部Ｓ１ａ〜Ｓ４ａに対応しない部分の出隅部（稜線）は、積極的なＲ付けをせず、例えば、開口面部ＫＳａを樹脂の射出成形で形成する場合には、金型成形に必要な最小限のＲとし、指の感触として凹部Ｓ１ａ〜Ｓ４ａとの差が得られるようにするとよい。
これにより、ユーザは、Ｒ付けの感触に基づいて、指を凹部Ｓ１ａ〜Ｓ４ａ以外の部位から凹部Ｓ１ａ〜Ｓ４ａに極めてスムースに移動することができる。
【００３４】
本発明の実施例は、上述した構成に限定されるものではなく、本発明の要旨を逸脱しない範囲において変形例としてもよいのは言うまでもない。
【００３５】
上述した記録媒体収容装置であるカード収容装置ＫＳは、カードスロットを四個備えたものを説明したが、この数に限定されるものではない。
複数のカードスロットを備える場合に、収容するカードの大きさは同じでなくてもよい。すなわち、異なる種類のメモリーカードや通信カードの複数を収容する装置であってもよい。
長手を対向させて並設された二つのカードスロットは、平行に設けられていなくてもよく、非平行に設けられていてもよい。
また、長手を直線状に連ねて併設された二つのカードスロットは、同一線上に併設されていなくてもよく、概ね二つが直線状となるように併設されていればよい。
【００３６】
開口部Ｓ１ｋ〜Ｓ４ｋに対する凹部Ｓ１ａ〜Ｓ４ａの位置は、上述のものに限定されない。他の例として、図６に示されたものがある。
まず、図６（ａ）に示されるように、開口部Ｓ１ｋの両端部にそれぞれ凹部Ｓ１ａａ，Ｓ１ａｂを形成し、並設された開口部Ｓ２ｋの中央部に凹部Ｓ２ａを設け、各凹部が互い違いとなるようにカードスロットＳ１，Ｓ２を接近させたものである。メモリーカードＣＤの幅が広い場合により良好に適用できる。
また、図６（ｂ）に示されるように、長手を対向させた３列のカードスロットＳ１〜Ｓ３の場合、一方の端部と中央部と他方の端部とで凹部の設ける位置を変えるとよい。カードスロットＳ１では左端部に、カードスロットＳ２では中央部に、カードスロットＳ３では右端部にそれぞれ凹部Ｓ１ａ〜Ｓ３ａが設けられており、隣接する凹部の上下方向位置が重なるようになっている。
また、図６（ｃ）に示されるように、二つのカードスロットＳ１，Ｓ２を長手を対向させつつも長手方向にずらし、両カードスロットＳ１，Ｓ２の互いに遠い側の端部に凹部Ｓ１ａ，Ｓ２ａを設けた例である。
これは、カードスロットＳ１，Ｓ２の配置において左右方向に余裕が充分にあり、上下方向に余裕が少ない場合に有効な配置例である。
カードの挿抜は、指での押圧以外に、他の押圧手段によって行われるものも含む。
【符号の説明】
【００３７】
１  レンズ部
２  本体部、    ２ａ  外表面、    ２ｋ  筐体、    ２ｋａ  筐体壁
３  液晶表示部
４  蓋
５  マイク
６  撮像素子
５１  撮像装置（電子機器）
ＣＤ  メモリーカード、    ＣＤａ  切り欠き
ＣＤｓ  正面、    ＣＤｔ  尾端面、    ＣＤｓｔ  側端面
ＣＬ１  中心線
Ｄｃ  幅
ｈ１，ｈｃ，ΔＤ，Δｈ  距離
ＫＳ  カード収容装置（記録媒体収容装置）、    ＫＳａ  開口面部（筐体壁）
Ｓ１〜Ｓ４  カードスロット
Ｓ１ａ〜Ｓ４ａ  凹部、    Ｓ１ａ１  底面、    Ｓ１ｋ〜Ｓ４ｋ  開口部
Ｓ１Ｂ，Ｓ１Ｌ，Ｓ１Ｒ，Ｓ１Ｔ  縁部
ＳＵ１〜ＳＵ４  スロットユニット
【図１】
0005716657.tif 000002
【図２】
0005716657.tif 000003
【図３】
0005716657.tif 000004
【図４】
0005716657.tif 000005
【図５】
0005716657.tif 000006
【図６】
0005716657.tif 000007